(57)【要約】【課題】  従来のクリップ型の挟み具は対称形状の挟み具先端部同士が同じ回転半径の作用点で挟み物を折り曲げることなく対称中心線上で直線状に保持しているために、ビニール袋類およびその他種々の挟み物の吊下げ保持や仮留め保持をする場合などにずれ易い問題がある。そこでこれらの問題を解消して、従来の挟み具と略同様の形態や使い勝手やコストなどのもとで、これらの保持が容易に且つ的確にできる手段を備えたクリップ型の挟み具およびその活用装置を提供する。【解決手段】  クリップ型挟み具の先端部を鉤形状に折り曲げ、その先端部同士が回転半径を異にして互いに対称中心線を越えて奥深く噛み合い、回転半径を異にするモーメント作用によって挟み物を奥深く折り曲げ食い込むように密着保持する。そして、この挟み具を連結した連結挟み具およびその保持材を活用して任意の位置や方向や向きで挟み物の吊下げ保持や仮留め保持などを容易に且つ的確に行う。【選択図】  図１２
2005256974.tif 000002
【特許請求の範囲】
【請求項１】
先端部を鉤形状に曲げた一方の挟持体（１）と先端部が直線状に形成された他方の挟持体（２）がバネ（４）を介して中間の支持部（３）で枢支されバネ（４）の付勢力により挟む挟み具において、中間の支持部（３）を軸として回転半径を長く形成した一方側の挟持体（１）の鉤形状先端部（１ａ）と回転半径を短く形成した他方側の挟持体（２）の直線状先端部（０２ａ）が互いに向き合い、回転半径を長く形成した一方側の挟持体（１）の鉤形状先端部（１ａ）が挟み具の下垂方向の対称中心線を越えて奥深く回転し、回転半径を短く形成した他方側の挟持体（２）の直線状先端部（０２ａ）の外側を抱え込むように噛み合うことにより、挟み物のずれ落ちなどが生じないように的確に挟んで保持することを特徴とする挟み具。
【請求項２】
先端部を鉤形状に曲げた一方の挟持体（１）と同じく先端部を鉤形状に曲げた他方の挟持体（２）がバネ（４）を介して中間の支持部（３）で枢支されバネ（４）の付勢力により挟む挟み具において、中間の支持部（３）を軸として回転半径を長く形成した一方側の挟持体（１）の鉤形状先端部（１ａ）と回転半径を短く形成した他方側の挟持体（２）の鉤形状先端部（２ａ）が互いに向き合い、挟み具の下垂方向の対称中心線を越えて互いに奥深く回転し、回転半径を長く形成した一方側の挟持体（１）の鉤形状先端部（１ａ）が回転半径を短く形成した他方側の挟持体（２）の鉤形状先端部（２ａ）の外側に重なり合うように噛み合うことにより、挟み物のずれ落ちなどが生じないように的確に挟んで保持することを特徴とする挟み具。
【請求項３】
請求項２の挟み具において、回転半径を短く形成した他方側の挟持体（２）の鉤形状先端部（２ａ）に複数の切込みを入れ、その切込み間を外側方向に任意の角度で折り曲げた張出し状先端部（２ｂ）が、回転半径を長く形成した一方側の挟持体（１）の鉤形状先端部（１ａ）と向い合って張り出し、回転半径を長く形成した一方側の挟持体（１）の鉤形状先端部（１ａ）と噛み合うことにより、挟み物のずれ落ちなどが生じないように的確に挟んで保持することを特徴とする挟み具。
【請求項４】
請求項１から請求項３の挟み具において、回転半径を長く形成した一方側の挟持体（１）の折り曲げの根元部で且つ半径を短く形成した他方側の先端部の突き当り部に複数の切抜き穴（１ｃ）を設け、また、回転半径を短く形成した他方側の先端部で且つ前記の複数の切抜き穴と対称の位置に複数の凸状突起（２ｃ）を設けて噛み合うことにより、挟み物のずれ落ちなどが生じないように的確に挟んで保持することを特徴とする挟み具。
【請求項５】
請求項１から請求項４の挟み具において、挟み具の中間部に連結穴（５ａ）を設け、その連結穴（５ａ）に鎖状または紐状の連結材（５）を介して挟み具同士を連結することにより、任意の位置や方向や向きの挟み物同士を自在に連結保持して、挟み物のずれ落ちなどが生じないように的確に保持することを特徴とする挟み具。
【発明の詳細な説明】
【技術分野】
【０００１】
本発明は、従来のクリップ型の挟み具が主に書類綴じなどの事務用品や洗濯バサミなどの家庭用品の挟み具などとして用いられているのに対して、従来の挟み具では挟み物のずれ落ちなどが生じて吊下げ保持や仮留め保持などを行うことが困難であったビニール袋などの袋類、およびその他に、雨除け用などのカバー類，仕切り用などのカーテン類，樹脂材や厚紙材の容器類などの一般的材質の薄物品類，書類や図面や新聞などの多重枚数の資料類，衣類などの布製品類などの種々の挟み物をずれ落ちなどが生じないようにがっちり挟んで吊下げ保持や仮留め保持などを容易に且つ的確に行うことができることを特徴とするクリップ型の挟み具およびこの挟み具を活用した吊下げおよび仮留めの保持装置に関するものである。
【０００２】
そして、従来のクリップ型の挟み具と略同様の形状，寸法，材質，コスト，使い勝手，押付け力などの形態のもとで、従来の挟み具と同様に挟み具の手元部を指で押付けるだけの簡単な着脱操作でずれ落ちなどが生じないようにがっちり挟んで吊下げ保持や仮留め保持などを容易に且つ的確に行うことができることを特徴とする挟み具に関するものである。
【０００３】
そして、従来のクリップ型の挟み具と略同様の形態のもとに、相対する挟持体の先端部を鉤形状に折り曲げ、その先端部同士が回転半径を異にして互いに下垂方向の対称中心線を越えて奥深く噛み合い、回転半径を異にするモーメント作用によって挟み物を互いに奥深く折り曲げ食い込むように密着保持することにより、挟み物のずれ落ちなどが生じないようにがっちり挟んで吊下げ保持や仮留め保持などを容易に且つ的確に行うことができることを特徴とする挟み具に関するものである。
【背景技術】
【０００４】
従来一般的に用いられているクリップ型の挟み具においては、図１８に示すように対称形状を成し、下垂方向の対称中心線上で同じ回転半径で互いに突き当たる先端部を備えた一対の挟持体と、これを連結する支持部とバネで構成するものになっている。
そして、挟み具の対称中心線方向に対して垂直方向に同じ回転半径の作用点で互いに押付け力のバネ力が作用し、両側面の押付け作用により挟み物を直線状に保持するものになっている。
そのため、従来のクリップ型の挟み具においては、本発明の挟み具の特徴としているような回転半径を異にした鉤形状の先端部同士が互いに対称中心線を越えて奥深く噛み合い回転半径を異にするモーメント作用によって挟み物を奥深く折り曲げ食い込むように密着保持する作用などは無く、単に同じ回転半径の作用点で両側面の押付け作用だけで直線状に保持するものになっているために、挟み物を吊下げ保持や仮留め保持する際にずれ落ちなどが生じ易い問題がある。
【０００５】
そして、従来一般的に用いられているクリップ型の挟み具においては、これらの形態と作用により書類綴じなどの事務用品や洗濯バサミなどの家庭用品として利用する面においては手軽な挟み具として便利なものであるが、しかし、これらの挟み具の利用範囲を広げて一般用品の用途として活用するために、例えばビニール袋などに内容物を入れて吊下げ保持を行う場合などには、両側面の押付け作用だけではずれ落ちなどが生じ易い問題がある。
そこで、従来のこれらの挟み具の形態のもとでこれらの問題を解消するためには、挟み具の先端部における押付け力を大きくして保持力をカバーすることなどの手段が必要であるが、これらの手段を施すと、挟み具の本体が大型で複雑な構造になること、そして、そのために取扱い難い挟み具になること、そして、指先でバネを押して容易に着脱することが困難になること、そして、コスト高になることなどの種々の問題がある。
【０００６】
また、その外に従来においては例えばビニール袋などに内容物を入れて吊下げ保持を行う場合などには、手提げ部を備えたレジ袋のように引っ掛け部を備えた吊下げ保持専用の袋およびこれらの袋を引っ掛けるための専用の吊下げ保持具や装置などを用意しなければならないことなどの問題がある。
また、一般の封筒型のビニール袋などに内容物を入れて吊下げ保持する場合などには、袋の上部に補強材を入れ、圧着処理と穴あけ加工を施した吊下げ保持専用の袋およびこれらの袋を引っ掛けるための専用の吊下げ保持具や装置を用意しなければならないことなどの問題がある。
また、分厚い書類や図面や新聞などの多重枚数の資料類を吊下げ保持する場合などには、端部に穴をあけて綴じ込みすることや、これらのものを吊下げ保持するための専用の吊下げ保持具や装置を用意しなければならないことなどの種々の問題がある。
【０００７】
そこで、これらの問題を解消することを主眼とする本発明のクリップ型の挟み具に対して、ずれを阻止するための手段などにおいて比較的に類似の挟み具としては、つぎに記述するような洗濯バサミや布団干し用の布団吊り下げ挟などの挟み具があげられる。
【特許文献１】実開平０７−３３２８７号公開公報
【特許文献２】実開平０７−４３３５７号公開公報そして、特許文献１の洗濯バサミは、挟体部の先端側に設けた保持爪が互い違いに挟持する洗濯物の吊下体の中心線を越える位置まで両保持爪の先端を各延出することによって物干し竿に掛けた洗濯物を挟持するようになっているが、両保持爪の先端は回転半径が同じ寸法で、且つ物干し竿の外周面を横並びに各延出するようになっている。そして、物干し竿に掛けた洗濯物を竿の上から挟持するようになっている。また、特許文献２の布団干し用の布団吊り下げ挟は、布団を波状に挟むように大きく且つ食い違う凹凸を挟の口に付けるようになっているが、布団を強く押し潰すことなく挟んで滑りにくい布団挟を得るようになっている。
【０００８】
しかし、これらの特許文献１および２の挟み具においては、図１から図６に示すように、先端部を鉤形状に折り曲げ、その鉤形状先端部同士が回転半径を異にして互いに対称中心線を越えて奥深く回転し挟み物を抱え込むように重なり噛み合いをすること、そして回転半径を異にするモーメント作用によって挟み物を密着保持することなどによって、挟み物のずれ落ちなどが生じ難い吊下げ保持や仮留め保持ができる手段などは備えられていないので、本発明の挟み具とは形態や作用の面で異なるものになっている。
そしてさらに的確な保持をするために、図７から図８に示すように、回転半径を短く形成した側の鉤形状先端部に複数の切り込みを入れて折り曲げた張出し状先端部と回転半径を長く形成した側の鉤形状先端部がさらにがっちり噛み合い密着保持することによって、挟み物のずれ落ちなどが格段に生じ難い吊下げ保持や仮留め保持ができる手段なども備えられていないので、本発明の挟み具とは形態や作用の面で大きく異なるものになっている。
【０００９】
また、これらの特許文献１および２の挟み具は、活用用途の面においても本発明の挟み具の主なる活用用途としているビニール袋や紙袋の袋類の吊下げ保持、およびその他に、雨除け用などのカバー類、仕切り用などのカーテン類、一般的材質の薄物品類、多重枚数の資料類、布製品類などの種々の挟み物の吊下げ保持や仮留め保持などが容易にできる手段なども全く備えていないので、本発明の挟み具とは活用用途の面でも大きく異なるものになっている。
【００１０】
また、これらの特許文献１および２の挟み具は、図１２から図１７に示すような吊下げ保持や仮留め保持装置において、図１１に示すような挟み具同士を連結材で連結した連結挟み具を活用して任意の位置や方向や向きで挟み物を保持することにより吊下げ保持や仮留め保持を行うことができる機能なども全く備えていないので、本発明の挟み具とはこれらの使い方や用途の面においても大きく異なるものになっている。
【発明の開示】
【発明が解決しようとする課題】
【００１１】
従来のクリップ型の挟み具において挟み物のずれ落ちなどが生じ易い問題の主なる要因は、図１８に示すように、対称形状の挟み具先端部同士が同じ回転半径の作用点で互いに突き当たるように押付けをしていること、そして挟み物を折り曲げることなく対称中心線上で直線状に保持する形態になっていることなどにある。
【００１２】
そこで、挟み具の先端部を鉤形状に折り曲げ、その鉤形状の先端部同士が回転半径を異にするモーメント作用により挟み物を奥深く折り曲げ密着保持することにより、従来の挟み具ではずれ落ちなどが生じて吊下げ保持や仮留め保持などを的確に行うことが困難であったビニール袋やその他種々の挟み物をずれ落ちなどが生じないようにがっちり挟んで容易に且つ的確に保持することができる手段を備えたことを特徴とする挟み具を提供する。
【００１３】
そして、その鉤形状の先端部以外については従来のクリップ型の挟み具と略同様の形状，寸法，材質，コスト，使い勝手，押付け力などの形態のもとで、挟み具の手元部を指で押付けるだけの簡単な着脱操作でずれ落ちなどが生じないようにがっちり挟んで吊下げ保持や仮留め保持などが容易に且つ的確にできる手段を備えたことを特徴とする挟み具を提供する。
【００１４】
そして、図１から図６に示すように相対する挟持体の先端部を鉤形状に折り曲げ、その鉤形状先端部同士が回転半径を異にして互いに奥深く噛み合い、回転半径を異にするモーメントの作用により挟み物を抱え込むように密着保持することによって、挟み物をずれ落ちなどが生じないようにがっちり挟んで保持することを特徴とする挟み具を提供する。
そしてこれらの挟み具についてさらに的確な保持を行うために、図７および図８に示すように回転半径を短く形成した側の鉤形状先端部に複数の切り込みを入れて折り曲げた張出し状先端部と回転半径を長く形成した側の鉤形状先端部がさらに噛み合いをするようにする。そして、これにより鉤形状先端部同士の重なり噛み合い部の折り曲げ密着保持手段と、張出し状先端部の折り曲げ密着保持手段の二重の折り曲げ密着保持手段により、挟み物をずれ落ちなどが生じないようにがっちり挟んで保持することを特徴とする挟み具を提供する。
【００１５】
また、これらの折り曲げ密着の保持手段によりビニール袋のように容易に折り曲げられてがっちり折り曲げ密着保持する挟み物の外に、例えば樹脂材や厚紙材などから成る一般的材質の薄物品類や分厚い書類や図面類などの多重枚数の資料類などのように容易に折り曲げられない挟み物についても、図５のように鉤形先端部同士が開いた状態でこれらの一般的材質の薄物品類や多重枚数の資料類などを銜え込み、回転半径を異にして互いに噛み合い、回転半径を異にするモーメント作用により挟み物を折り曲げ食い込むような状態で密着保持することにより、ネジ締めによる押付けなどを必要とすることなく、これらの一般的材質の薄物品類や多重枚数の資料類などをずれ落ちなどが生じないようにがっちり挟んで保持することを特徴とする挟み具を提供する。
【００１６】
そして、図１１に示すようにこれらの挟み具同士を連結材で連結した連結挟み具および図１２に示すような連結挟み具保持材などを活用して挟み物を連結保持することにより、図１２から図１７に示すような吊下げ保持装置および仮留め保持装置において、任意の位置で且つ任意の方向や向きで挟み物をずれなどが生じないようにがっちり挟んで吊下げ保持や仮留め保持を容易に行うことができることを特徴とする挟み具を提供する。
そして、これらにより従来の挟み具の問題要因を的確に解消することができる挟み具を提供する。
【課題を解決するための手段】
【００１７】
先端部を鉤形状に曲げた一方の挟持体１と先端部が直線状に形成された他方の挟持体２がバネ４を介して中間の支持部３で枢支されバネ４の付勢力により挟む挟み具において、中間の支持部３を軸として回転半径を長く形成した一方側の挟持体１の鉤形状先端部１ａと回転半径を短く形成した他方側の挟持体２の直線状先端部０２ａが互いに向き合い、回転半径を長く形成した一方側の挟持体１の鉤形状先端部１ａが挟み具の下垂方向の対称中心線を越えて奥深く回転し、回転半径を短く形成した他方側の挟持体２の直線状先端部０２ａの外側を抱え込むように噛み合うことにより、挟み物のずれ落ちなどが生じないように的確に挟んで保持することを特徴とする請求項１の挟み具による。
【００１８】
先端部を鉤形状に曲げた一方の挟持体１と同じく先端部を鉤形状に曲げた他方の挟持体２がバネ４を介して中間の支持部３で枢支されバネ４の付勢力により挟む挟み具において、中間の支持部３を軸として回転半径を長く形成した一方側の挟持体１の鉤形状先端部１ａと回転半径を短く形成した他方側の挟持体２の鉤形状先端部２ａが互いに向き合い、挟み具の下垂方向の対称中心線を越えて互いに奥深く回転し、回転半径を長く形成した一方側の挟持体１の鉤形状先端部１ａが回転半径を短く形成した他方側の挟持体２の鉤形状先端部２ａの外側に重なり合うように噛み合うことにより、挟み物のずれ落ちなどが生じないように的確に挟んで保持することを特徴とする請求項２の挟み具による。
【００１９】
請求項２の挟み具において、回転半径を短く形成した他方側の挟持体２の鉤形状先端部２ａに複数の切込みを入れ、その切込み間を外側方向に任意の角度で折り曲げた張出し状先端部２ｂが、回転半径を長く形成した一方側の挟持体１の鉤形状先端部１ａと向い合って張り出し、回転半径を長く形成した一方側の挟持体１の鉤形状先端部１ａと噛み合うことにより、挟み物のずれ落ちなどが生じないように的確に挟んで保持することを特徴とする請求項３の挟み具による。
【００２０】
請求項１から請求項３の挟み具において、回転半径を長く形成した一方側の挟持体１の折り曲げの根元部で且つ半径を短く形成した他方側の先端部の突き当り部に複数の切抜き穴１ｃを設け、また、回転半径を短く形成した他方側の先端部で且つ前記の複数の切抜き穴１ｃと対称の位置に複数の凸状突起２ｃを設けて噛み合うことにより、挟み物のずれ落ちなどが生じないように的確に挟んで保持することを特徴とする請求項４の挟み具による。
【００２１】
請求項１から請求項４の挟み具において、挟み具の中間部に連結穴５ａを設け、その連結穴５ａに鎖状または紐状の連結材５を介して挟み具同士を連結することにより、任意の位置や方向や向きの挟み物同士を自在に連結保持して、挟み物のずれ落ちなどが生じないように的確に保持することを特徴とする請求項５の挟み具による。
【発明の効果】
【００２２】
従来一般的に用いられているクリップ型の挟み具は、挟み物を折り曲げることなく直線状に挟み、同じ回転半径の作用点で両側面の突き当て押付けだけで保持するために、例えば口の開いたビニール袋などに投入物を入れて吊り下げ保持を行う場合などには、表面の摩擦抵抗が小さいためにずれ落ちなどが生じ易い問題がある。
これに対して、本発明のクリップ型の挟み具は、従来のクリップ型挟み具と略同様の挟み具の先端部を鉤形状に折り曲げ、その鉤形状先端部同士が互いに対称中心線を越えて奥深く噛み合い、回転半径を異にするモーメント作用により挟み物に食い込むように密着保持することによって、種々の挟み物をずれ落ちなどが生じないようにがっちり挟んで吊り下げ保持や仮留め保持などを容易に且つ的確に行うことができる。
【００２３】
そして、挟み具の鉤形状先端部以外については従来のクリップ型の挟み具と略同様の形状，寸法，材質，コスト，使い勝手，押付け力などのもとで、且つ挟み具の手元部を指で押付けるだけの簡単な着脱操作で、ネジ締めによる押付けなどを必要とすることなく、従来の挟み具ではずれ落ちなどが生じて吊下げ保持することが困難であった種々の挟み物をずれ落ちなどが生じないようにがっちり挟んで吊下げ保持や仮留め保持などを容易に且つ的確に行うことができる。
【００２４】
そして、従来の挟み具ではずれ落ちなどが生じて吊下げ保持することが困難であったビニール袋や紙袋の袋類、およびその他に、雨除け用などのカバー類、および仕切り用などのカーテン類、および樹脂材や厚紙材の容器類などの一般的材質の薄物品類、および分厚い書類や図面や新聞などの多重枚数の資料類、および衣類などの布製品類などの種々の挟み物をずれ落ちなどが生じないようにがっちり挟んで吊下げ保持や仮留め保持などを容易に且つ的確に行うことができる。
【００２５】
そして、図１２から図１４に示すように、これらの挟み具および保持材を活用した吊下げ保持装置に例えば口を開いた状態のビニール袋などを鈴生り状に多段掛けや多面掛けの吊下げ保持を行うことにより、小スペースに多種類の立体集中保管が容易にできる。
そして、例えば作業場などにおいて、これらの口を開いた状態のビニール袋に出し入れ頻度の多い小物品類などを入れて保管すると保管管理業務を容易に促進できる。
また、例えば各家庭や事業所などにおいて、従来の空容器収納箱の代わりに口の開いたビニール袋類を吊下げ保持して資源物や危険物の分別収納を行うことにより、各家庭や事業所などの排出元において排出のルールに従った的確な分別排出を容易に促進することができる。
また、例えば家庭内において、ビニール袋類や樹脂製容器類および家庭用品などの種々の挟み物の多段掛や多面掛の吊下げ保持が容易にできることにより、家庭用品の吊下げや仮留め保持を行う手軽で便利な挟み具として活用できる。
また、例えば事業所内において、ビニール袋類や樹脂製ケースなどに種々の事務用品類や多重枚数の資料類などを入れて多段掛や多面掛の吊下げ保持が容易にできることにより、事業所内で事務用品の吊下げや仮留め保持を行う手軽で便利な挟み具として活用できる。
【００２６】
つぎに、本発明の各挟み具の具体的な効果についてはつぎのようなものがあげられる。
図１および図２に示すように、挟み具の一方の先端部を折り曲げて回転半径を長く形成した一方の鉤形状先端部１ａが他方の直線状先端部０２ａの外側を抱え込むように噛み合うことにより、簡単な構造で折り曲げによる押付け食い込み作用などが作用して、挟み物のずれ落ちなどの生じ難い保持ができる挟み具を提供できる。
【００２７】
そして、図３から図６に示すように、回転半径の異なる鉤形状先端部１ａと鉤形状先端部２ａの両方の先端部を折り曲げ、その両先端部同士が互いに向き合い重なり噛み合いをすることにより、折り曲げによる押付け食い込み作用とさらに重なり噛み合い部で鉤形状先端部同士が互いに締め付け合う作用が作用して、前記の挟み具よりさらに的確な保持ができる挟み具を提供できる。
【００２８】
そしてさらに的確な保持をするための手段として、図７および図８に示すように、回転半径を短く形成した側の鉤形状先端部２ａに複数の切り込みを入れて折り曲げた張出し状先端部２ｂと回転半径を長く形成した側の鉤形状先端部１ａがさらに噛み合いをすることにより、鉤形状先端部１ａが挟み物を張出し折り曲げの奥隅部に奥深く食い込むように回転し、且つ張出し状先端部２ｂが折り曲げの奥隅部で挟み物の折り返し部を外側からがっちりと押さえ込んで密着保持する。そしてさらに張出し状先端部２ｂが垂れ下がった挟み物５０を鉤形状先端部１ａと逆方向に引っ掛け保持する。
これらの作用により、種々の挟み物を挟んで吊下げ保持した場合などにどの方向の荷重に対しても挟み物のずれ落ちなどが格段に生じ難い保持ができる挟み具を提供できる。
【００２９】
そして、これにより、張出し状先端部２ｂを別部品として製作することや、この別部品を任意の角度で張り出しするための取り付けが不要になり、構造が簡単で安価で且つずれ落ちなどが格段に生じ難い保持ができる挟み具を提供できる。
【００３０】
そして、図９および図１０に示すように、鉤形状先端部２ａの突き当り部に複数の切抜き穴１ｃを設け、且つ前記の複数の切抜き穴１ｃと対称の位置に複数の凸状突起２ｃを設けて噛み合うことにより、折り曲げられた挟み物に押付け食い込み作用などが作用し、特に対称中心線に対して垂直方向のずれに対してずれが生じないようにがっちり挟んで保持することができる挟み具を提供できる。
【００３１】
そして、図１１に示すように、挟み具の中間部に設けた連結穴５ａと鎖状や紐状の連結材５を設けて挟み具同士を連結保持することにより、図１２から図１４に示すように保持装置の帯状材５２またはカーテン状材５２ａと吊り下げする挟み物５０の挟み物とを任意の位置や方向や向きで自在に連結保持して、ずれ落ちなどが生じないように的確に且つ容易に吊下げ保持や仮留め保持を行うことができる挟み具を提供できる。
【００３２】
つぎに、図１から図１１に示す挟み具については、図１２から図１７に示すように、種々の形で吊下げ保持や仮留め保持を行うための挟み具として広く活用することができる。
例えば、図１２から図１４に示すように、連結材５で連結した挟み具を活用した吊下げ保持装置の活用例として、出し入れが容易にできるように口の開いたビニール袋や紙袋類などの挟み物５０に種々の小物品類５０ａなどを入れて吊下げ保持を行うことにより合理的な保管管理を容易に行うことができる。
そして、これらの袋類およびその他種々の挟み物および挟み具の着脱は、ネジ締めなどの必要がなく、挟み具の手元部を指で押付けるだけで簡単にできる挟み具を提供できる。
【００３３】
また、図１２から図１４に示すように、挟み具同士を鎖状または紐状の連結材５で連結した連結挟み具およびそれらの挟み具を保持する帯状材５２やカーテン状材５２ａを活用して縦材の吊下げ保持装置５１や横材の吊下げ保持装置５１ａで吊下げ保持や仮留め保持を行うことによって、任意の位置で且つ任意の方向や向きで容易に吊下げ保持や仮留め保持を行うことができる。
また、帯状材５２やカーテン状材５２ａの連結挟み具保持材は、吊下げ保持装置からどの方向にも容易に垂れ下げて吊下げ保持を行うことができるので、任意の位置で且つ任意の方向や向きで容易に吊下げ保持や仮留め保持を行うことができる。
また、柔軟性のある帯状材５２やカーテン状材５２ａの折曲げと食い込み作用により、鉤形状先端部が帯状材５２やカーテン状材５２ａの保持材にがっちり食い込んでずれの生じないように吊下げ保持や仮留め保持を行うことができる。
また、連結挟み具により挟み具を帯状材５２やカーテン状材５２ａの下垂方向に縦向きに向けて挟むことができるので、これにより下垂方向の任意の位置で且つ任意の方向や向きでずれの生じないようにがっちり挟んで吊下げ保持や仮留め保持を行うことができる。
【００３４】
つぎに、図１２から図１４に示すような吊下げ保持装置を活用して例えば作業場などで小物品類の吊下げ保持を行うことにより、具体的にはつぎのような合理的な保管ができる。
第一に、ビニール袋や紙袋類などの袋の口を開いた状態でずれ落ちすることなく吊下げて立面保持が容易にできるので、出し入れ頻度の多い保管材の投入や取出しが容易にできる。
第二に、吊下げ保持装置に収納袋を鈴生り状に多段掛けや多面掛けをするので、小スペースで多種多量の集中保管が容易にできる。
そして、大きいもの，重いもの，長いもの，収納量の多いものなどは下段に接地した状態で袋を掛け、小さいものや軽いものや収納量の少ないものなどは上段に掛けることによって、種々の形状や大きさの保管物を鈴生り状の多段掛けにより合理的な保管ができる。
【００３５】
第三に、ビニール袋や紙袋類などの着脱は挟み具の手元部を押付けるだけの着脱操作で手軽にできるので、部品の配備や保管管理の省力化が容易にできる。
第四に、必要な大きさの袋を必要な時に容易に取り揃えて合理的な保管ができる。
これに対して、従来の保管棚や収納箱では投入物が無い場合や少量の場合でも大きな保管棚や収納箱を常時備えて置かなければならないので保管スペースなどのムダがある。
第五に、種々の大きさの保管物を種々の大きさの袋で保管できるので、小スペースで且つ安い費用で容易に合理的な保管ができる。
例えば長さの長いものを保管するために長い保管棚や収納箱を備えると大きなスペースと高い費用がかかるが、保管物の長さや量に見合った袋を容易に揃えて立て置きすることができるので、小スペースで且つ安い費用で容易に合理的な保管ができる。
第六に、袋が収納量に応じて必要な時に必要なだけ膨らむので、必要最小限の場所で保管ができる。
第七に、ビニール袋類による吊下げ保持においては、袋が透明で保管物の中身の見易く保管材が探し易いので保管管理の省力化などが容易にできる。
【００３６】
また、図１２から図１４に示すような吊下げ保持の別の活用例として、例えば従来の空容器収納箱の代わりに口の開いたビニール袋類を吊下げ保持して資源物や危険物の分別収納を行うことにより、具体的にはつぎのような合理的な分別収納および分別排出を行うことができる。
第一に、排出のルールに従った分別収納専用のビニール袋類を必要な場所に口の開いた状態で且つ挟み具の手元部を指で押付けるだけで手軽に着脱して多段掛や多面掛の吊り下げ保持ができることにより、各家庭などの排出元において排出のルールに従った的確な分別排出を容易に促進できる。
第二に、従来はレジ袋やゴミ箱などの容器を各排出元が適宜揃えて分別収納および排出を行っているが、封筒型の袋を容易に着脱できることにより、排出のルールに従って的確に分別排出するための排出物別の分別収納専用のビニール袋を容易に揃えることができる。
そして、これにより排出のルールに従った的確な分別排出用の容器が揃っていないために生ずる混合排出を減少できる。
【００３７】
第三に、これにより従来のように場所を取る空容器収納箱を排出ルールに従って常時たくさん並べて揃えて置く必要がなくなることにより、小スペースで且つ整理された状態で分別収納を行うことができる。
第四に、これらにより、各排出元が同じ手段で同じレベルの分別収納および分別排出を容易に行うことができる。
そして、各家庭などの排出元において排出のルールに従った的確な分別収納および分別排出を容易に促進することにより、ごみ処理や再資源化処理などについての問題の改善を促進できる。
【００３８】
また、図１２から図１４の吊下げ保持の活用例のさらに別の使い方として、例えばイベント会場などで一時的に多数のごみ容器を用意することや、そのごみ容器に溜ったごみをいちいちほかの容器に集めて回収することなどは手間と費用が掛かるものになっている。
そこで、ごみ容器の必要な場所に連結挟み具で口の開いたビニール袋を挟んで吊下げ保持をすることにより、ごみ容器の必要な場所にビニール袋のごみ容器を安い費用で容易に配備できる。
また、溜まったごみをいちいちほかの容器に集めて回収することなく、これらのビニール袋を挟み具の手元部を指で押付けるだけで手軽に着脱してそのまま回収し処分できることにより、これらの手間と費用の節減が容易にできる。
【００３９】
また、図１２から図１４の吊下げ保持の活用例のさらに別の使い方として、例えばビニール袋に種々の形状，大きさ，重さの商品見本入りの袋を挟み具で直接挟んで多段掛けおよび多面掛けの吊下げ保持をすることにより、容易に空間のスペースを有効活用した合理的な陳列ができる。
これに対して従来の手段では、袋の上部に吊下げ保持用の穴を設けた袋だけしか吊下げ保持ができないので、穴を設ける費用もかかり且つ吊下げする袋や商品も限定されたものになっている。
【００４０】
つぎに、図１５に示すように連結材５で連結した連結挟み具を活用した仮留め保持の活用例としては、例えば連結挟み具保持材５２ｄの上に仮留め保持する物品５０ｂなどを置いて仮留め保持を行うことにより、平面物や立体物を任意の位置で且つ任意の方向や向きで容易に仮留め保持して作業を行うことができる。
そして、紐状の連結材５を連結穴５ａにループ状に通し、その交差部を留め具で留めることにより、仮留め保持する物品５０ｂを任意の位置で且つ任意の方向や向きで容易に仮留め保持して作業を行うことができる。
そして、これらの仮留め保持の着脱などは、ネジ締めによる押付けなどを必要とすることなく、挟み具の手元部を指で押付けるだけの簡単な着脱操作で容易にできる。
【００４１】
また、図１６に示すように、連結挟み具を活用した吊下げ保持や仮留め保持の活用例として、ビニールシートなどのカバー６０を商品類６０ａなどに掛け、カバーの吊り下げ保持する使い方をすると、ビニールシートの縁の任意の位置で容易に挟んで保持できる。
これにより、カバーを保持するためにハトメの付いたビニールシートを用意する必要がなくなり、また、ハトメ部にヒモを通して保持することやビニールシートの上から荷造り用の紐などを掛けて押える必要がなく、カバー掛け作業の省力化が容易にできる。
そして、これらのカバーの吊り下げや仮留め保持の着脱などは、ネジ締めによる押付けなどを必要とすることなく、挟み具の手元部を指で押付けるだけの着脱操作で簡単にできる。
【００４２】
また、図１７に示すように、連結挟み具を活用した仮留め保持の活用例としてカーテンなどの吊り下げや仮留め保持を行う使い方をすると、ビニールシートなどのカーテン７０の縁の任意の位置で容易に挟んで吊り下げ保持ができる。
これにより、ハトメ部に紐を通して保持することやカーテンの縁に吊り下げ用の細工をして保持する必要がなく、カーテンの吊り下げ保持の省力化が容易にできる。
また、別の使い方として、一般的材質の薄板材などの吊り下げ保持をカーテンなどの吊り下げ保持と同じような要領で行うことにより、場所を取らずに最小限の場所で薄板の両面の作業などを容易にできる。
そして、これらのカーテンや薄板材などの吊り下げ保持や仮留め保持の着脱などは、ネジ締めによる押付けなどを必要とすることなく、挟み具の手元部を指で押付けるだけの着脱操作で簡単にできる。
【発明を実施するための最良の形態】
【００４３】
本発明の挟み具の基本的な形態については、図１から図１１に示すように回転半径を異にして鉤形状に折り曲げた挟み具先端部以外は従来のクリップ型の挟み具と略同様の形状，寸法，材質，コスト，使い勝手，押付け力などの形態のもとで、回転半径を異にするモーメント作用により、挟み具の手元部を指で押付けるだけの簡単な着脱操作で、図１２から図１７に示すように種々の挟み物をずれ落ちなどが生じないようにがっちり挟んで吊下げ保持や仮留め保持などを容易に且つ的確に行うことができるようにしている。
【００４４】
そして、挟み具の鉤形状先端部の形態については、図５に示すように手元部を押して鉤形状先端部の１ａおよび鉤形状先端部２ａを開いた際に、ビニール袋類および一般的材質の容器類などの薄板品類や分厚い多重枚数の資料類などの挟み物５０を容易に銜え込むことができるように大きく開けるようにしている。
そして、図６に示すように鉤形状先端部１ａおよび鉤形状先端部２ａが回転半径を異にして互いに対称中心線を越えて奥深く噛み合い、回転半径を異にするモーメント作用によって挟み物を奥深く折り曲げ食い込むように密着保持することにより、挟み物をずれ落ちなどが生じないようにがっちり挟んで保持できるようにしている。
【００４５】
また、これらの折り曲げ密着の保持手段によりビニール袋のように容易に折り曲げられてがっちり折り曲げ密着保持する挟み物の外に、例えば樹脂材や厚紙材の容器類などの一般的材質の薄物品類および分厚い書類や図面や新聞などの多重枚数の資料類などのように容易に折り曲げられない挟み物についても、図５のように鉤形状の先端部同士が開いた状態でこれらの挟み物を銜え込み、そして、回転半径を異にして互いに噛み合い、回転半径を異にするモーメント作用より図６に示す作用に準じた作用で密着保持して、これらの一般的材質の薄物品類や多重枚数の資料類などをずれ落ちなどが生じないようにがっちり挟んで保持することができるようにしている。
そして、鉤形状先端部１ａおよび鉤形状先端部２ａの先端部分に例えば鋸歯状の凹凸やゴム皮膜などを設けることにより、これらの挟み物の吊下げ保持がさらに的確にできるようにしている。
【００４６】
そして、挟み具の張出し状先端部の形態については、図７に示すように、鉤形状先端部２ａに複数の切込みを入れ、その切込み間を外側方向に任意の角度で折り曲げることにより、張出し状先端部２ｂを別部品として製作することやこの別部品を任意の角度で張り出しするための取り付けを不要にしている。
そしてこれにより、構造が簡単で安価で且つずれ落ちなどが生じないようにがっちり挟んで保持できる挟み具を提供できるようにしている。
そして、図７および図８に示すように、鉤形状先端部１ａと鉤形状先端部２ａ重なり噛み合いによる折り曲げ密着保持と、さらに鉤形状先端部１ａと張出し状先端部２ｂの噛み合いによる折り曲げ密着保持の二重の同時折り曲げ保持作用により、挟み物をずれ落ちなどが生じないようにがっちり挟んで保持できるようにしている。
【００４７】
そして、挟み具の保持作用の最良の形態については、具体的にはつぎのような作用により挟み物をずれ落ちなどが生じないようにがっちり挟んで保持することができるようにしている。
初めに、回転半径を異にする鉤形状先端部１ａと鉤形状先端部２ａが互いに向かい合って対称中心線を越えて奥深く回転して重なり噛み合いをする。
そして、同時に鉤形状先端部２ａが挟み物５０を折り曲げ、その折り曲げ部に食い込むように密着保持する。
そして、同時に鉤形状先端部１ａが挟み物５０を逆方向に折り曲げ、その折り曲げ部を外側からの押え込むように押さえ付けて密着保持する。
そして、同時に鉤形状先端部２ａの外面と鉤形状先端部１ａの内面の重なり噛み合い面が互いに挟み物を締め付けて密着保持する。
【００４８】
そして、同時に鉤形状先端部１ａが挟み物５０を張出し状先端部２ｂの奥隅部に向かって突上げるように押し付けて折り曲げ、その折り曲げ部を内側からがっちり食い込むように密着保持する。
そして、同時に張出し状先端部２ｂの奥隅部が挟み物５０の折り返し部を外側からの押え込むようにがっちり押さえ付けて密着保持する。
そして、同時に張出し状先端部２ｂが鉤形状先端部１ａで対称中心線と垂直方向に折り曲げられた挟み物５０を下垂方向に向うように逆方向に折り曲げる。
そして、同時に張出し状先端部２ｂが折り曲げられた挟み物５０を引っ掛け保持する。
そして、これらの作用のもとに二重の同時折り曲げ並びに密着保持を行い、挟み物をずれ落ちなどが生じないようにがっちり挟んで保持できるようにしている。
【００４９】
つぎに、図９および図１０に示すように鉤形状先端部２ａの突き当り部に複数の切抜き穴１ｃを設け、またその複数の切抜き穴１ｃと対称の位置に複数の凸状突起２ｃを設けて噛み合うことにより、折り曲げられた挟み物に食い込み作用などが作用し、特に対称中心線に対して垂直方向のずれに対してずれが生じないようにがっちり挟んで保持することができるようにしている。
【００５０】
つぎに、吊下げ保持の形態については、図１１に示すような挟み具中間部の連結穴５ａに連結材５を介して挟み具同士を連結することにより、図１２から図１４に示すように、その連結した挟み具の一方の挟み具が吊下げ保持装置から垂れ下がる帯状材５２やカーテン材５２ａなどの連結挟み具保持材を挟み、他方の挟み具がビニール袋などの吊下げ保持する挟み物５０などの挟み物を挟んで保持することにより、どの方向や向きにおいてもずれ落ちなどが生じないようにがっちり挟んで連結保持することができるようにしている。
また、連結材５の一方の端部に連結穴５ａを備えた挟み具を連結し、他方の端部にフック状の引っ掛け具を連結することにより、挟み具では吊下げ保持がしにくいハンガーなどを容易に吊下げ保持して衣類などを吊下げ保持できるようにしている。
そして、任意の位置や方向や向きで種々のものを容易に多段掛けや多面掛けの吊下げ保持ができるようにしている。
【００５１】
そして、図１１に示すように挟み具同士を連結する挟み具の連結材５については、丈夫で柔軟性のあるもの、そして樹脂製や金属製の鎖状のものや樹脂製や布製の紐状のもの、そして引っ掛け具や留め具で長さの調整などが容易にできるものにしている。
そして、図１２から図１４に示すように、連結した挟み具を帯状材５２やカーテン状材５２ａなどの連結挟み具保持材の下垂方向に縦向きに向けて挟むことにより、下垂方向の任意の位置でずれの生じないようにがっちり挟んで吊下げ保持を行うことができるようにしている。
【００５２】
そして、図１２から図１４に示す吊下げ保持装置で活用する帯状材５２やカーテン材５２ａなどの連結挟み具保持材の材質については、挟み物をずれ落ちなどが生じないように的確に保持できるようにするために、折り曲げ易く且つ食い込み易いもの、そして摩擦係数が大きくずれ難いもの、そして丈夫で薄く柔軟性のあるもの、そしてコストが安く適時必要な時に必要な場所に必要な長さに切り揃えて掛けられることなどの要件を充たす樹脂製や布製のものを用いるようにしている。
【００５３】
そして、図１５に示すように仮留め保持装置の連結材５については、樹脂製または布製の紐状のものを挟み具の連結穴５ａにループ状に通し、その交差部を留め具で留めることにより、任意の位置や方向や向きで自在に仮留め保持ができるようにしている。
そして、連結挟み具保持材５２ｄの上に仮留め保持する物品５０ｂなどを置いて仮留め保持を行うことにより、平面物や立体物を任意の位置で且つ任意の方向や向きで容易に仮留めして組立て作業などを行うことができるようにしている。
そして、これらの仮留め保持の着脱などは、ネジ締めなどを必要とすることなく、挟み具の手元部を指で押付けるだけで容易に且つ的確にできるようにしている。
【産業上の利用可能性】
【００５４】
本発明の挟み具の基本的な形態については、挟み具の先端部以外は従来のクリップ型の挟み具と略同様の形状，寸法，材質，コスト，使い勝手，押付け力などの形態のもとで、種々の挟み物をずれ落ちなどが生じ難いように吊下げ保持や仮留め保持を行うことができるものとしているが、産業上で広く利用するためには、大型の挟み物や重さのある挟み物などもずれ落ちなどなどが生じないようにがっちり挟んで保持できる強い保持力の挟み具が必要となる。
そこで、挟み具の手元部を指先で押付ける形状のものではなく、例えばプライヤーのように手のひらで握るような形状にして、大型で折り曲げしにくい挟み物や強い押付け力のバネを握力で押付けるようにすることにより、大型の挟み物や重さのある挟み物においてもネジ締めによる押付けなどを必要とすることなく、ずれ落ちなどなどが生じないようにがっちり挟んで保持することのできる挟み具を提供することができる。
そしてこれにより、種々の作業において種々の大きさや重さの挟み物の吊下げ保持や仮留め保持を容易に且つ的確に行うことができる手軽で便利な挟み具として産業用に利用することができる。
【００５５】
また、逆に狭い箇所で細かい挟み物をずれ落ちなどなどが生じないようにがっちり挟むことなどが容易にできる挟み具も必要になる。
そこで、挟み具の幅方向の寸法を小さくして例えばピンセット型のような形状にすることにより、これらの細かい挟み物を容易に且つ的確に保持できる手軽で便利な挟み具として産業用に利用することができる。
【００５６】
また、図１２から図１７に示すような使い方に準じた種々の使い方のできる吊下げ保持装置や仮留め保持装置および連結挟み具保持材を開発することにより、例えば種々の作業においてネジの締め付けなどを必要とすることなく、挟み具の手元部を指や手のひらで押付けるだけの簡単な着脱操作で種々の作業物の吊下げ保持や仮留め保持が容易にできる手軽で便利な挟み具として産業用に利用することができる。
【図面の簡単な説明】
【００５７】
【図１】挟み具の直線状先端部と鉤形状先端部が噛み合いする概観図である。
【図２】挟み具の直線状先端部と鉤形状先端部が挟み物を折り曲げ保持する側面概観図である。
【図３】挟み具の鉤形状先端部同士が重なり噛み合いする概観図である。
【図４】挟み具の鉤形状先端部同士が重なり噛み合いする側面概観図である。
【図５】挟み具が挟み物を銜え込むために先端部を開いた状態の側面概観図である。
【図６】挟み具の鉤形状先端部同士が重なり噛み合いで挟み物を折り曲げ保持する側面概観図である。
【図７】挟み具の鉤形状先端部同士の重なり噛み合いと鉤形状先端部に切り込みを入れて折り曲げた張出し先端部の概観図である。
【図８】挟み具の鉤形状先端部同士の重なり噛み合いと鉤形状先端部に切り込みを入れて折り曲げた張出し先端部の側面概観図である。
【図９】挟み具に複数の切抜き穴と凸状突起を設けた挟み具の概観図である。
【図１０】挟み具に複数の切抜き穴と凸状突起を設けた挟み具の側面概観図である
【図１１】挟み具同士を鎖状や紐状の連結材で連結した連結挟み具の概観図である
【図１２】連結挟み具および帯状材の連結挟み具保持材を活用して縦材型の吊下げ保持装置本体で吊下げ保持する吊下げ保持装置の概観図である。
【図１３】連結挟み具および帯状材の連結挟み具保持材を活用して横材型の吊下げ保持装置本体で吊下げ保持する吊下げ保持装置の概観図である。
【図１４】連結挟み具およびカーテン状材の連結挟み具保持材を活用して横材型の吊下げ保持装置本体で吊下げ保持する吊下げ保持装置の概観図である。
【図１５】連結挟み具を活用して仮留め保持する仮留め保持装置の概観図である。
【図１６】挟み具を活用して雨除けカバーの吊下げ保持を行う側面概観図である。
【図１７】挟み具を活用して仕切りカーテンや薄板などの吊下げ保持を行う概観図である。
【図１８】従来型のクリップ型挟み具により対称中心線上で折り曲げ作用なしで挟み物の吊下げ保持を行う側面概観図である。
【符号の説明】
【００５８】
１  本発明の挟み具の回転半径を長く形成した側の挟持体
２  本発明の挟み具の回転半径を短く形成した他方側の挟持体
３  本発明の挟み具の支持部
４  本発明の挟み具のバネ
１ａ  回転半径を長く形成した側の鉤形状先端部
２ａ  回転半径を短く形成した他方側の鉤形状先端部
２ｂ  鉤形先端部に切り込みを入れて折り曲げた張出し状先端部
０２ａ  直線状先端部
１ｃ  鉤形状先端部２ａの突き当り部に設けた複数の切抜き穴
２ｃ  切抜き穴と対称の位置の複数の凸状突起
５  鎖状や紐状の連結材
５ａ  連結穴
１０  従来の挟み具において同じ回転半径のもとに形成された一方側の挟持片
２０  従来の挟み具において同じ回転半径のもとに形成された他方側の挟持片
３０  従来の挟み具の支持部
４０  従来の挟み具のバネ
５０  ビニール袋や紙袋および樹脂材や厚紙材の容器類および多重枚数の資料類などの挟み物
５０ａ  吊下げ保持装置で吊下げ保持する袋や容器内に入れた小物品類などの内容物や吊下げ物
５０ｂ  仮留め保持装置で仮留め保持する物品
５１  縦材型の吊下げ保持装置本体
５１ａ  横材型の吊下げ保持装置本体
５２  帯状材の連結挟み具保持材
５２ａ  カーテン状材の連結挟み具保持材
５２ｂ  板状材の連結挟み具保持材
５２ｃ  釘状突起の連結挟み具保持材
５２ｄ  仮留め保持装置の連結挟み具保持材
６０  ビニールシートなどのカバー類
６０ａ  ビニールシートなどのカバーを掛けた物品
７０  仕切りカーテン類や薄板材などの吊下げ物
【図１】
2005256974.tif 000003
【図２】
2005256974.tif 000004
【図３】
2005256974.tif 000005
【図４】
2005256974.tif 000006
【図５】
2005256974.tif 000007
【図６】
2005256974.tif 000008
【図７】
2005256974.tif 000009
【図８】
2005256974.tif 000010
【図９】
2005256974.tif 000011
【図１０】
2005256974.tif 000012
【図１１】
2005256974.tif 000013
【図１２】
2005256974.tif 000014
【図１３】
2005256974.tif 000015
【図１４】
2005256974.tif 000016
【図１５】
2005256974.tif 000017
【図１６】
2005256974.tif 000018
【図１７】
2005256974.tif 000019
【図１８】
2005256974.tif 000020